(57)【要約】      （修正有）【課題】身体の任意の位置に取り付けて使用されハンズフリーの状態を確保することができる着脱式の照明具を提供する。【解決手段】ケース内にＬＥＤ５、電池６、スイッチ７を収納した照明ユニットの外表面を面ファスナー３ａで被覆した照明具本体１と、この照明具本体１を身体の任意の位置に着脱自在に止着するための面ファスナー３ｂを備えた止着具２とからなり、前記照明具本体１を止着具２に対し任意の方向及び個数で取り付け可能とした。また、照明ユニットに定電流ダイオードを組み込むことも好ましい。【選択図】図１
0003169819.tif 000002
【実用新案登録請求の範囲】
【請求項１】
ケース内にＬＥＤ、電池、スイッチを収納した照明ユニットの外表面を面ファスナーで被覆した照明具本体と、この照明具本体を身体の任意の位置に着脱自在に止着するための面ファスナーを備えた止着具とからなり、前記照明具本体を止着具に対し任意の方向及び個数で取り付け可能としたことを特徴とする着脱式の照明具。
【請求項２】
照明ユニットに定電流ダイオードが組み込まれている請求項１に記載の着脱式の照明具。
【請求項３】
電池がボタン電池である請求項１または２に記載の着脱式の照明具。
【請求項４】
電池が太陽光電池である請求項１または２に記載の着脱式の照明具。
【請求項５】
ボタン電池が電池ホルダーに交換自在に収納されている請求項３に記載の着脱式の照明具。
【請求項６】
止着具は表面が面ファスナーで形成された帯状体からなり、身体の任意の位置に巻き付け自在なものである請求項１に記載の着脱式の照明具。
【考案の詳細な説明】
【技術分野】
【０００１】
本考案は、身体の任意の位置に取り付けて使用されハンズフリーの状態を確保することができる着脱式の照明具に関するものである。
【背景技術】
【０００２】
例えば、夜間における自動車等の修理作業や夜釣りの際には夜間照明が必要である。また、夜間の歩行や自転車乗車時、航空機内での読書や執筆時、更には、災害時などにも簡易照明があると便利である。このような場合の照明具として、従来から懐中電灯や設置式の電灯などが広く利用されていた。
【０００３】
しかし、作業する際に懐中電灯を用いると、それを持つ手が塞がってしまい片手での作業を強いられるため安全性や作業性に劣るという問題があった。また、設置式の電灯の場合は両手が自由になるものの、電灯の設置場所の制限を受けるという問題や光源が遠い場合は十分な光量を得ることが難しいという問題があった。
【０００４】
一方、最近では小型で十分な光量があり消費電力も小さいＬＥＤを利用した照明具の実用化が進んでおり、両手で作業するためのスポット照明具として手袋やメガネフレームにＬＥＤを取り付けたもの、あるいは指輪型やイヤホーン型の身体装着用のＬＥＤ照明具、更には鍔の部分にＬＥＤを組み込んだ帽子など種々の商品が提案されている。また、特許文献１に示されるようにＬＥＤ発光装置を備えた靴や、特許文献２に示されるようにＬＥＤを内蔵した反射ベスト等の出願もなされている。
【０００５】
しかしながら、従来のＬＥＤ照明具は１つの用途だけに対応した専用品であり、様々な状況下で任意の用途に応じて使用することはできないものであった。また、作業内容によっては複数個のＬＥＤを同時に取り付けて使用したい場合もあるが、そのようなことはできなかった。更には、電池交換ができる構造でなく使い捨て商品を前提として設計されており、省資源に反するという問題もあった。
【先行技術文献】
【特許文献】
【０００６】
【特許文献１】特開平８−３３２１０２号公報
【特許文献２】特開２０００−１９９９３号公報
【考案の概要】
【考案が解決しようとする課題】
【０００７】
本考案は上記のような問題点を解決して、使用目的に応じて照明具を身体の任意の位置に任意の個数取り付けて使用することができ、またハンズフリーの状態を確保することができて安全性及び作業性を向上させることができる着脱式の照明具を提供することを目的として完成されたものである。
【課題を解決するための手段】
【０００８】
上記課題を解決するためになされた本考案の着脱式の照明具は、ケース内にＬＥＤ、電池、スイッチを収納した照明ユニットの外表面を面ファスナーで被覆した照明具本体と、この照明具本体を身体の任意の位置に着脱自在に止着するための面ファスナーを備えた止着具とからなり、前記照明具本体を止着具に対し任意の方向及び個数で取り付け可能としたことを特徴とするものである。
【０００９】
前記照明ユニットに定電流ダイオードが組み込まれているものが好ましく、これを請求項２に係る考案とする。また、前記電池はボタン電池や太陽光電池であるものが好ましく、これを請求項３及び請求項４に係る考案とする。また、ボタン電池が電池ホルダーに交換自在に収納されているものが好ましく、これを請求項５に係る考案とする。更に、止着具は表面が面ファスナーで形成された帯状体からなり、身体の任意の位置に巻き付け自在なものが好ましく、これを請求項６に係る考案とする。
【考案の効果】
【００１０】
請求項１に係る考案では、外表面を面ファスナーで被覆した照明具本体と、面ファスナーを備えた止着具とからなり、前記照明具本体を止着具に対し任意の方向及び個数で取り付け可能としたので、照明具本体を使用目的に応じて任意にセットすることができ、しかもハンズフリーの状態を確保できるので安全、かつ効率的に作業が行えることとなる。
【００１１】
請求項２に係る考案では、照明ユニットに定電流ダイオードが組み込まれているものとしたので、電流を一定にすることができＬＥＤの発光量を安定させることができる。
【００１２】
請求項３に係る考案では、電源としてボタン電池を用いたので、コンパクトな設計で小型化を図ることができる。
【００１３】
請求項４に係る考案では、電源として太陽光電池を用いたので、より省エネルギー化を図ることができる。
【００１４】
請求項５に係る考案では、ボタン電池が電池ホルダーに交換自在に収納されているものとしたので、電池交換を容易に行うことができ、使い捨て商品でなく何度も繰り返して使用することが可能で省資源化に貢献できる。
【００１５】
請求項６に係る考案では、止着具は表面が面ファスナーで形成された帯状体からなるものとしたので、身体の腕や脚等に巻き付けることで照明具本体を簡単かつ任意の位置に止着することが可能となる。
【図面の簡単な説明】
【００１６】
【図１】本考案の実施の形態を示す斜視図である。
【図２】照明具本体を示す斜視図である。
【図３】照明具本体を示す正面図である。
【図４】照明具の回路図である。
【図５】本考案の使用状態を示す斜視図である。
【図６】その他の使用状態を示す斜視図である。
【図７】その他の使用状態を示す斜視図である。
【図８】その他の使用状態を示す斜視図である。
【考案を実施するための形態】
【００１７】
以下に、図面を参照しつつ本考案の好ましい実施の形態を示す。
図１は、本考案の照明具の一例を示す斜視図、図２は照明具本体を示す斜視図、図３は照明具本体を示す正面図である。図において、１は照明具本体、２は止着具である。前記照明具本体１の外表面は面ファスナー３ａで被覆されている。また、止着具２は前記面ファスナー３ａに対して対となる面ファスナー３ｂを具備しており、照明具本体１は止着具２に対し任意の方向及び任意の個数で取り付けることができるよう構成されている。
【００１８】
前記照明具本体１は、例えばポリプロピレン等の合成樹脂からなる薄板状のケース４の内部にＬＥＤ５、電池６、スイッチ７を収納した照明ユニット８と、この照明ユニット８の外表面を被覆する面ファスナー３ａで構成されている（図２〜図３を参照）。また、この照明具の回路図は、図４に示されるように、ＬＥＤ５、電池６、スイッチ７を直列に接続した単純な回路となっている。
なお、図４においては、回路中に定電流ダイオード９が組み込まれて、電池の電圧が変動しても電流を一定にするよう制御されるよう構成されているので、長期間の使用により電池の電圧が低下しても最後まで安定した発光量を維持することができる。
【００１９】
前記電池６は、ボタン電池が用いられており、電池ホルダー６ａに簡単に格納できるよう構成されている。図示のものでは、照明具本体１の後方側から電池６を電池ホルダー６ａに自由に出し入れできる構造となっている。
その他、電池として太陽光電池を用いることもでき、この場合はより省エネルギー化を図ることができる。
【００２０】
図１に示すものでは、前記止着具２は、表面が面ファスナー３ｂで形成された帯状体からなり、身体の任意の位置に巻き付け自在なものとなっている。
このような止着具２は、例えば図５や図６に示されるような形態で使用に供される。図５においては、止着具２をドライバーを持つ右手の手首に巻き付け、この止着具２に照明具本体１を面ファスナー３ａ、３ｂの係合により固定している。ＬＥＤの照明光は手先に向けて照射され明るい状態となっており、また左手がフリーな状態となっているので安全、かつ効率的に作業を行うことができる。
なお、ＬＥＤは軽量小型で明るいため作業効率の低下を発生させることがなく、しかも消費電力が極めて小さいため長時間にわたる作業にも対応することが可能である。
【００２１】
図６においては、止着具２を足首に巻き付け、この止着具２に照明具本体１を面ファスナー３ａ、３ｂの係合により前方に向け固定している。ＬＥＤの照明光が足先を照射するので安全であり、また両手がフリーであるので作業性もよい。
なお、止着具２に取り付ける照明具本体１は、作業内容に応じて任意の個数を取り付けることができるものであり、また照射する方向の調整も面ファスナー３ａ、３ｂの係合により簡単に調整することができる。
【００２２】
その他、図７や図８に示されるような形態で使用に供することもできる。図７では、照明具本体１は帽子の鍔に取り付けられヘッドランプとして使用されている。止着具２は、帽子の鍔に装着された状態となっている。照明具本体１は、面ファスナー３ａと、止着具２の面ファスナー３ｂとの係合により簡単に固定することができる。この場合も、両手がフリーとなるので優れた作業性を発揮する。
図８では、止着具２が作業衣の胸ポケットに装着されており、照明具本体１が面ファスナー３ａと、止着具２の面ファスナー３ｂとの係合により簡単に固定されている。
【００２３】
以上の説明からも明らかなように、本考案では面ファスナーで被覆した照明具本体と面ファスナーを備えた止着具とからなり、前記照明具本体を止着具に対し任意の方向及び個数で取り付け可能としたので、照明具本体と止着具の２つがあれば、様々な作業に対応してスポット的に照射することができ、また両手をフリーな状態とすることができるので、安全、かつ効率的に作業が行えることとなる。
【符号の説明】
【００２４】
１  照明具本体
３ａ  面ファスナー
３ｂ  面ファスナー
４  ケース
５  ＬＥＤ
６  電池
６ａ  電池ホルダー
７  スイッチ
８  照明ユニット
９  定電流ダイオード
【図１】
0003169819.tif 000003
【図２】
0003169819.tif 000004
【図３】
0003169819.tif 000005
【図４】
0003169819.tif 000006
【図５】
0003169819.tif 000007
【図６】
0003169819.tif 000008
【図７】
0003169819.tif 000009
【図８】
0003169819.tif 000010
【手続補正書】
【提出日】平成23年6月27日(2011.6.27)
【手続補正１】
【補正対象書類名】明細書
【補正対象項目名】００１８
【補正方法】変更
【補正の内容】
【００１８】
前記照明具本体１は、例えばポリプロピレン等の合成樹脂からなる薄板状のケース４の内部にＬＥＤ５、電池６、スイッチ７を収納した照明ユニット８と、この照明ユニット８の外表面を被覆する面ファスナー３ａで構成されている（図２〜図３を参照）。また、この照明具の回路図は、図４に示されるように、ＬＥＤ５、電池６、スイッチ７を直列に接続した単純な回路となっている。
前記面ファスナーとは、布等に特殊な加工をし、面的に着脱できるファスナーで、一般的にはフック状に起毛された側とループ状に密集して側とを押し付けるとそれだけで貼り付くようになっており、貼り付けたり剥がしたりすることが自在にできるようになっている。
また、ＬＥＤとは、発光ダイオードのことであり、半導体を用いたｐｎｐ接合構造で作られており、原理的には電子の持つエネルギーを光エネルギーに変換することで発光するものである。
なお、図４においては、回路中に定電流ダイオード９が組み込まれて、電池の電圧が変動しても電流を一定にするよう制御されるよう構成されているので、長期間の使用により電池の電圧が低下しても最後まで安定した発光量を維持することができる。
【手続補正２】
【補正対象書類名】明細書
【補正対象項目名】００１９
【補正方法】変更
【補正の内容】
【００１９】
前記電池６は、ボタン電池が用いられており、電池ホルダー６ａに簡単に格納できるよう構成されている。図示のものでは、照明具本体１の後方側から電池６を電池ホルダー６ａに自由に出し入れできる構造となっている。また、前記電池６は、一般的な乾電池や、充電可能な二次電池を用いることもできる。
その他、電池として太陽光電池を用いることもでき、この場合はより省エネルギー化を図ることができる。